(57)【要約】【課題】地図データの容量を抑えつつ、多くの情報が含まれた道路画像を表示することができる車両用ナビゲーション装置を提供する。【解決手段】車両が走行中の道路の路面上をカメラＡ７およびカメラＢ８によって撮影し、道路情報検出手段２１では、撮影画像から車両が走行中の道路に関する道路情報（道路幅員、道路標示）を検出する。そして、道路画像表示制御手段２４において、地図データ記憶器２に記憶されている道路データに基づいて作成した道路画像に、検出した道路情報に基づいて作成した路面表示画像を追加して、ディスプレイ３に表示する。これにより、地図データの容量を抑えつつ、多くの情報が含まれた道路画像を表示することができ、また、道路情報をユーザが入力する手間も軽減できる。【選択図】図２
2007206034.tif 000002
【特許請求の範囲】
【請求項１】
車両の現在位置を検出する位置検出手段と、地図データを記憶する記憶手段とを有し、前記位置検出手段が検出した車両の現在位置と前記記憶手段に記憶されている地図データとに基づいて、当該車両が走行中の道路の道路画像を含む地図画像を表示画面に表示する車両用地図表示装置であって、
前記車両に搭載されて、当該車両が走行中の道路が撮像されるように撮像範囲が設定された撮像手段と、
その撮像手段によって撮像された画像から前記車両が走行中の道路に関する道路情報を検出する道路情報検出手段と、
その道路情報検出手段によって検出された道路情報に基づいて前記道路画像を作成して、前記表示画面に表示する道路画像表示制御手段と
を含むことを特徴とする車両用地図表示装置。
【請求項２】
前記道路情報検出手段は、前記道路情報として道路幅員を検出することができるものであり、
前記道路画像表示制御手段は、その道路情報検出手段によって検出された道路幅員に基づいて、道路画像の幅員を決定するものであることを特徴とする請求項１に記載の車両用地図表示装置。
【請求項３】
前記道路情報検出手段は、前記道路情報として所定の路面標示を検出することができるものであり、
前記道路画像表示制御手段は、前記道路情報検出手段によって所定の路面標示が検出された場合には、その検出された路面標示に基づいて道路画像に含まれる路面表示画像を作成して、前記表示画面に表示するものであることを特徴とする請求項１または２に記載の車両用地図表示装置。
【請求項４】
前記道路情報検出手段は、前記道路情報として車線区分線を検出することができるものであり、
前記道路画像表示制御手段は、前記道路情報検出手段によって車線区分線が検出された場合には、その検出された車線区分線に基づいて道路画像に含まれる車線区分線画像を作成して、前記表示画面に表示するものであることを特徴とする請求項１または２に記載の車両用地図表示装置。
【請求項５】
前記道路情報検出手段は、前記道路情報として所定の規制標示または指示標示を検出することができるものであり、
前記道路画像表示制御手段は、前記道路情報検出手段によって所定の規制標示または指示標示が検出された場合には、その検出された規制標示または指示標示に基づいて道路画像に含まれる規制標示画像または指示標示画像を作成して、前記表示画面に表示するものであることを特徴とする請求項１乃至４のいずれかに記載の車両用地図表示装置。
【請求項６】
前記道路画像表示制御手段は、前記道路情報検出手段によって車線区分線が検出された場合には、その検出された車線区分線と、前記記憶手段に記憶されている地図データに含まれている道路の形状を示す道路データとに基づいて、前記道路画像の前記撮像手段による撮像範囲に対応する領域以外の部分における車線区分線画像を作成して、前記表示画面に表示するものであることを特徴とする請求項４に記載の車両用地図表示装置。
【請求項７】
互いに異なる位置に配置されて撮像範囲の少なくとも一部が重複するように前記撮像手段を複数備えるとともに、
前記道路情報検出手段によって所定の路面標示が検出された場合に、その複数の撮像手段によって撮像された撮像画像に基づいて、自車から前記路面標示までの相対距離を算出する距離算出手段を備え、
前記道路画像表示制御手段は、遠近図形式の地図画像を表示するものであって、前記距離算出手段によって算出される相対距離に基づいて前記路面表示画像の大きさを決定することを特徴とする請求項３に記載の車両用地図表示装置。
【発明の詳細な説明】
【技術分野】
【０００１】
本発明は、車両用地図表示装置に関する。
【背景技術】
【０００２】
たとえば、ナビゲーション装置など、車両に搭載されて地図を表示する地図表示装置が知られている。地図表示装置は、通常、車両の現在位置を検出する位置検出手段と、地図データを記憶する記憶手段とを備えており、位置検出手段によって車両の現在位置を検出し、それに基づいて地図データから現在位置周辺の地図を読み出して表示画面に表示する。
【０００３】
上記地図データは、できるだけ最新のものであることが好ましい。そこで、車両を道路に沿って走行させることにより、当該道路に関する各種情報を収集する地図データ収集装置が提案されている（たとえば、特許文献１）。
【０００４】
特許文献１の装置では、車両が道路を走行する際、道路の車線数や道路幅等をビデオカメラによって撮影するとともに、マイクロフォンによって音声収録を行う。また、車両が各道路を走行する際の走行軌跡をパーソナルコンピュータによって記憶する。車両が走行を終了した後、ユーザは前述した撮影画像、収録音声、車両の走行軌跡から、車両が走行した各道路について、当該道路の車線数や道路幅等の各種情報を、地図データへ入力して更新する。このように地図データベースを更新することにより、次回以降、地図データが更新された道路を走行する場合には、より多くの情報が含まれた道路画像が表示画面に表示されることになる。
【特許文献１】特開平６−２１５１０２号公報
【発明の開示】
【発明が解決しようとする課題】
【０００５】
特許文献１に記載の装置の場合、車両が走行した各道路について、車線数や道路幅等の各種情報を、ユーザが地図データへ入力して更新した。そのため、地図データの更新に非常に手間がかかるという問題がある。また、地図データへそれらの情報を追加していくため、地図データの容量が増加してしまうことも問題である。
【０００６】
本発明は、上記の問題に鑑みてなされたものであり、地図データの容量を抑えつつ、多くの情報が含まれた道路画像を表示することができる車両用地図表示装置の提供を目的とする。
【課題を解決するための手段】
【０００７】
上記目的を達成するための請求項１に記載の発明は、車両の現在位置を検出する位置検出手段と、地図データを記憶する記憶手段とを有し、前記位置検出手段が検出した車両の現在位置と前記記憶手段に記憶されている地図データとに基づいて、当該車両が走行中の道路の道路画像を含む地図画像を表示画面に表示する車両用地図表示装置であって、
前記車両に搭載されて、当該車両が走行中の道路が撮像されるように撮像範囲が設定された撮像手段と、その撮像手段によって撮像された画像から前記車両が走行中の道路に関する道路情報を検出する道路情報検出手段と、その道路情報検出手段によって検出された道路情報に基づいて前記道路画像を作成して、前記表示画面に表示する道路画像表示制御手段とを含むことを特徴とする。
【０００８】
このように、本発明の車両用地図表示装置では、撮像手段によって走行中の道路を撮像して、その撮像した道路から検出した道路情報に基づいて表示画面に表示する道路画像を作成しているので、地図データの容量を抑えつつ多くの情報が含まれた道路画像を表示することができ、また、道路情報をユーザが入力する手間も軽減できる。
【０００９】
道路情報としては、道路幅員（請求項２）や路面標示（請求項３）がある。請求項２に記載の発明は、請求項１に記載の車両用地図表示装置において、前記道路情報検出手段は、前記道路情報として道路幅員を検出することができるものであり、前記道路画像表示制御手段は、その道路情報検出手段によって検出された道路幅員に基づいて、道路画像の幅員を決定するものであることを特徴とする。
【００１０】
また、請求項３に記載の発明は、請求項１または２に記載の車両用地図表示装置において、前記道路情報検出手段は、前記道路情報として所定の路面標示を検出することができるものであり、前記道路画像表示制御手段は、前記道路情報検出手段によって所定の路面標示が検出された場合には、その検出された路面標示に基づいて道路画像に含まれる路面表示画像を作成して、前記表示画面に表示するものであることを特徴とする。
【００１１】
請求項２または３のようにすれば、地図データとして道路幅員や所定の路面標示を記憶する必要がなくなるので、地図データの容量を抑えることができ、また、それらの道路情報をユーザが入力する手間も省ける。
【００１２】
また、所定の路面標示としては、車線区分線（請求項４）、および規制標示や指示標示（請求項５）がある。上記請求項４記載の発明は、請求項１または２に記載の車両用地図表示装置において、前記道路情報検出手段は、前記道路情報として車線区分線を検出することができるものであり、前記道路画像表示制御手段は、前記道路情報検出手段によって車線区分線が検出された場合には、その検出された車線区分線に基づいて道路画像に含まれる車線区分線画像を作成して、前記表示画面に表示するものであることを特徴とする。
【００１３】
また、請求項５記載の発明は、請求項１乃至４のいずれかに記載の車両用地図表示装置において、前記道路情報検出手段は、前記道路情報として所定の規制標示または指示標示を検出することができるものであり、前記道路画像表示制御手段は、前記道路情報検出手段によって所定の規制標示または指示標示が検出された場合には、その検出された規制標示または指示標示に基づいて道路画像に含まれる規制標示画像または指示標示画像を作成して、前記表示画面に表示するものであることを特徴とする。
【００１４】
このようにすれば、地図データとして車線区分線や、所定の規制標示または指示標示に関する情報を記憶する必要がなくなるので、地図データの容量を抑えることができ、また、車線区分線や所定の規制標示または指示標示に関する情報をユーザが入力する手間も省ける。
【００１５】
請求項４記載のように、道路情報として車線区分線を検出することができる場合、請求項６記載のようにすることが好ましい。
【００１６】
その請求項６記載の発明は、請求項４に記載の車両用地図表示装置において、前記道路画像表示制御手段は、前記道路情報検出手段によって車線区分線が検出された場合には、その検出された車線区分線と、前記記憶手段に記憶されている地図データに含まれている道路の形状を示す道路データとに基づいて、前記道路画像の前記撮像手段による撮像範囲に対応する領域以外の部分における車線区分線画像を作成して、前記表示画面に表示するものであることを特徴とする。
【００１７】
通常、道路に車線区分線が表示されている場合には、その車線区分線は撮像手段の撮像範囲外となるような遠方まで連続して表示されている場合が多いので、請求項６記載のようにすれば、実際の道路に即した車線区分線画像を表示画面に表示できることになる。
【００１８】
また、請求項７記載の発明は、請求項３に記載の車両用地図表示装置において、互いに異なる位置に配置されて撮像範囲の少なくとも一部が重複するように前記撮像手段を複数備えるとともに、前記道路情報検出手段によって所定の路面標示が検出された場合に、その複数の撮像手段によって撮像された撮像画像に基づいて、自車から前記路面標示までの相対距離を算出する距離算出手段を備え、前記道路画像表示制御手段は、遠近図形式の地図画像を表示するものであって、前記距離算出手段によって算出される相対距離に基づいて前記路面表示画像の大きさを決定することを特徴とする。
【００１９】
このようにすれば、距離算出手段により、路面標示までの相対距離を精度よく算出することができ、道路画像表示制御手段は、その精度よく算出された相対距離に基づいて路面標示画像の大きさを決定するので、遠近図形式であるために相対距離によって大きさを調整する必要がある場合に、道路画像における路面標示画像の大きさを適切に決定することができる。
【発明を実施するための最良の形態】
【００２０】
図１は、本発明の第１実施形態の装置構成を示すブロック図である。図１の装置は、本発明の地図表示装置としての機能を備えた車両用ナビゲーション装置である。
【００２１】
図１に示すように、位置検出器１は、地磁気センサ１Ａ、ジャイロスコープ１Ｂ、距離センサ１Ｃ、ＧＰＳ受信機１Ｄから構成され、車両の現在位置および進行方向の検出を行う。なお、この位置検出器１が位置検出手段に相当する。
【００２２】
地磁気センサ１Ａは、例えばパーマロイ等の環状の強磁性体に、これを励磁するための励磁巻線と、方向検出用の直交する２つの検出巻線とが巻かれた構成を持つ。そして、励磁巻線に交流電圧を印加することによって２つの検出巻線に発生する電圧を計測し、これに基づいて車両の進行方向を絶対方位として検出する。一方、ジャイロスコープ１Ｂは、車両の相対方位を検出する。
【００２３】
距離センサ１Ｃは、例えば車両に搭載された図示しない車輪や車軸の回転信号に基づいて、車両の移動距離を検出する。
【００２４】
ＧＰＳ受信機１Ｄは、人工衛星である図示しないＧＰＳ衛星から送信される位置測定用のＧＰＳ信号を受信し、車両が現在走行している地点の緯度や経度、高度を検出する。
【００２５】
位置検出器１は、前述した４つの機器の検出結果を相互に補間することによって、精度の高い位置検出および進行方向検出を行う。もちろん、要求される検出精度によっては、前述の４つの機器を全て備える必要はない。なお、車両の現在位置および進行方向の検出に関しては、ステアリングセンサ等、他のセンサによる検出信号に基づいて行うこととしてもよい。
【００２６】
地図データ記憶器２は記憶手段に相当し、例えば記憶媒体としてハードディスクを有し、そのハードディスクに道路データ、背景データ、文字データおよび施設データなどを含んだ地図データが記憶されている。上記道路データは、交差点等の節目における道路網接続関係を示すデータであるノードデータと、ノード間を結ぶ道路についてのデータであるリンクデータを含んでいるが、道路幅員に関するデータ、車線数に関するデータは含んでいない。上記リンクデータは、始点のノード番号、終点のノード番号、道路名称等からなる。
【００２７】
ディスプレイ３は、車載用の小型ディスプレイであり、地図画像表示を含む各種ナビゲーション表示を行うための表示画面を備えている。その各種ナビゲーション表示に関しては、車載用のヘッドアップディスプレイ等を用いることとしても良い。
【００２８】
操作スイッチ４は、複数のメカニカルなスイッチから構成され、車両用ナビゲーション装置に対して、各種ナビゲーション動作の開始や終了を指示する。前述の指示に関しては、操作キーを表示する表示パネルと、当該表示パネルに表示された操作キーを押したことを検出するタッチパネルを備えたタッチスイッチによって構成しても良い。また、音声認識を利用して行うこととしても良い。
【００２９】
リモコン５は、例えば各種機能スイッチを備えた多機能リモコンであり、リモコンセンサ６を介して、上述した操作スイッチ４とほぼ同様の操作を行うことができる。
【００３０】
カメラＡ７およびカメラＢ８は、撮像手段に相当するものである。このカメラＡ７、Ｂ８は、例えばＣＣＤカメラ或いはＣＭＯＳカメラであり、車両前部において所定距離Ｌだけ互いに離隔して設置されている。これらカメラＡ７、Ｂ８の撮像範囲は、いずれも車両が走行中の道路前方を撮像するように設定され、また、互いの撮像範囲は略一致するように設定されている。
【００３１】
ＥＣＵ２０は、公知のコンピュータから構成され、地図画像表示を含む各種ナビゲーション動作を実行する。たとえば、位置検出器１が検出した車両の現在位置および進行方向に基づいて、地図データ記憶器２から車両の現在位置周辺の地図画像データを読み出し、車両の現在位置を示すマークとともにその地図画像をディスプレイ３に表示させるとともに、スピーカ１０から各種音声案内を行わせる。
【００３２】
図２は、上記ＥＣＵ２０の制御機能の要部を示すブロック図である。図２に示すように、ＥＣＵ２０は、道路情報検出手段２１、距離算出手段２２、および地図画像表示制御手段２３を備えている。
【００３３】
道路情報検出手段２１は、カメラ７Ａおよびカメラ８Ｂによってそれぞれ撮像された車両前方の撮像画像から、道路に関する所定の道路情報を検出する。この道路情報としては、道路の幅員、道路に表示されている所定の道路標示がある。なお、道路標示には、展開禁止等の規制標示、横断歩道等の指示標示、および車線区分線があるが、そのうちの一部が検出可能となっていればよい。本実施形態では、車線区分線および横断歩道を含む一部の道路標示が検出できるものとする。
【００３４】
道路情報として道路の幅員を検出する場合、まず、撮像画像を解析処理して、画像の色度や彩度の変化から自車を挟む左右両側の道路端線を検出する。そして、その２つの道路端線間の画素数（画像中の距離）から道路の幅員を決定する。また、車線区分線も、画像の色度や彩度の変化に基づいて検出する。車線区分線については、撮像画像上の位置から道路幅方向における位置も検出し、また、車線区分線の種類（白線、黄線、点線、実線など）も決定する。規制標示や指示標示は、予めそれらの基準画像を記憶しておき、その基準画像とのパターンマッチングにより検出する。
【００３５】
距離算出手段２２は、上記道路情報検出手段２１によって路面標示として規制標示または指示標示が検出された場合には、公知のステレオ画像認識処理を実行することによって、自車からその路面標示までの相対距離を算出する。このステレオ画像認識処理は、２つのカメラ７Ａおよび８Ｂによってそれぞれ撮像された２つの撮像画像中おける路面標示の位置の差に基づいて計測対象である路面標示までの距離を算出するものである。
【００３６】
地図画像表示制御手段２３は、位置検出器１によって検出された車両の現在位置に基づいて、地図データ記憶器２から車両の現在位置周辺の地図データを読み出す。そして、その読み出した地図データに基づいてディスプレイ３の表示画面の所定位置に地図画像を表示する。なお、地図画像は、ユーザの切替操作により、遠近図形式のものと、鳥瞰図(平面図)形式のものとが切り替え可能となっている。
【００３７】
上記地図画像表示制御手段２３は、道路画像表示制御手段２４を備えており、ディスプレイ３に表示される地図画像のうち、道路画像についてはこの道路画像表示制御手段２４によって表示制御される。
【００３８】
道路画像表示制御手段２４は、地図データ記憶器２から自車周辺の道路データを読み出し、その読み出した道路データに基づいて地図画像に含まれる道路画像を作成する。道路データにはノードとリンクとからなる道路データが記憶されているだけであるので、道路データに基づいて作成できる道路画像は、道路の形状だけである。
【００３９】
そこで、道路画像表示制御手段２４は、道路情報検出手段２１によって道路幅員が検出された場合には、その道路幅員に基づいて走行中の道路の道路画像の幅を決定する。また、道路情報検出手段２１によって路面標示が検出された場合には、その検出された路面標示に基づいて道路画像に含まれる路面表示画像を作成する。
【００４０】
たとえば、路面標示として車線区分線が検出された場合には、車線区分線を示す車線区分線画像を、地図データに基づいて作成した道路画像に追加する。車線区分線画像の道路幅方向における表示位置は、道路情報検出手段２１によって検出された位置に基づいて決定し、長手方向の表示位置は、道路データから判断できる道路形状に基づいて、道路形状に沿うようにする。複数の車線区分線が検出されている場合には、各車線区分線の幅方向の表示位置は、道路情報検出手段２１において検出された各車線区分線の幅方向位置に基づいて決定してもよいし、道路の幅員を均等に分割するように決定してもよい。
【００４１】
なお、本実施形態においては、表示画面に表示される地図画像は、カメラ７Ａ、８Ｂの撮像範囲よりも広い範囲となっている。そのため、道路画像表示制御手段２４は、道路データに基づいて地図画像において撮像範囲に対応する領域以外の部分にまで車線区分線画像を延長して作成する。図３は、ディスプレイ３に表示される地図画像の一例であって、道路画像に３本の車線区分線画像２５、２６、２７が含まれている画像例である。なお、「▲」は自車位置を示している。
【００４２】
図３に示す撮像範囲２８は、説明のために示しているが実際の画面には表示されない。この撮像範囲２８はカメラ７Ａ、８Ｂの撮像範囲であり、地図画像は撮像範囲２８よりも広い領域の画像である。
【００４３】
また、道路画像表示制御手段２４は、路面標示として横断歩道等の路面標示が検出された場合には以下のようにする。すなわち、走行中の道路において自車からの距離が距離算出手段２２によって算出された相対距離となる道路画像上の位置に、予め記憶されている横断歩道等の基準画像をその相対距離に基づいて大きさを調整して重畳表示させる。
【００４４】
図４および図５は、ともに横断歩道が検出された場合の地図画像の例であり、図５は図４よりも横断歩道が遠くに検出された場合の例である。横断歩道画像２９は、相対距離に基づいて大きさが調整されているので、相対距離が変化しても適切な大きさとなっている。
【００４５】
以上、説明した本実施形態によれば、カメラ７Ａ、８Ｂによって走行中の道路を撮像して、その撮像した道路から検出した道路情報に基づいてディスプレイ３に表示する道路画像を作成しているので、地図データの容量を抑えつつ、多くの情報が含まれた道路画像を表示することができ、また、道路情報をユーザが入力する手間も軽減できる。
【００４６】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００４７】
たとえば、前述の実施形態では、撮像手段として２台のカメラ７Ａ、８Ｂを備えていたが、カメラを１台としてもよい。この場合、撮像画像上の位置における計測対象物（路面標示または道路幅員を決定するための道路端線）の位置からその計測対象物までの相対距離を算出する。
【００４８】
また、前述の実施形態では、道路データに道路幅員に関する情報が含まれておらず、撮像画像から道路幅員を検出していたが、道路幅員に関する情報を予め記憶してもよい。また、道路標示に関する情報も一部は予め記憶していてもよい。
【図面の簡単な説明】
【００４９】
【図１】本発明の第１実施形態である、地図表示装置としての機能を備えた車両用ナビゲーション装置のブロック図である。
【図２】図１のＥＣＵ２０の制御機能の要部を示すブロック図である。
【図３】ディスプレイ３に表示される地図画像の一例である。
【図４】ディスプレイ３に表示される地図画像であって、図３とは別の例である。
【図５】ディスプレイ３に表示される地図画像であって、図３、図４とは別の例である。
【符号の説明】
【００５０】
１：位置検出器（位置検出手段）
２：地図データ記憶器（記憶手段）
３：ディスプレイ（表示画面）
７：カメラＡ（撮像手段）
８：カメラＢ（撮像手段）
２１：道路情報検出手段
２２：距離算出手段
２３：地図画像表示制御手段
２４：道路画像表示制御手段
【図１】
2007206034.tif 000003
【図２】
2007206034.tif 000004
【図３】
2007206034.tif 000005
【図４】
2007206034.tif 000006
【図５】
2007206034.tif 000007